(57)【要約】【課題】長尺平板上の基板に多数のＬＥＤを配列して直管形ＬＥＤ照明装置を構成した場合、その照射角度が略１２０度であるため、直管形ＬＥＤ照明装置を取り付ける場所によっては、そのままでは照明範囲が狭くなり、所定の範囲まで照明できない場合がある。本発明は、照射方向を変更可能として、取り付け場所による照明範囲の制限の緩和や、ショーケースや商品陳列棚などにおける商品照明として、照明による商品の陳列効果アップのために直接照明状態としたり間接照明状態としたり、照明状態を変更可能とする技術を提供する。【解決手段】管体の両端に配置された端部キャップから電力が供給されるＬＥＤ照明装置において、管体を二重管構成とし、内側管体内にＬＥＤの配列された基板を収納し、内側管体の回動によりＬＥＤの配列された照明側面の向きを変えて、所定の方向の照明を可能とするＬＥＤ照明装置とする。【選択図】図８
2012014842.tif 000002
【特許請求の範囲】
【請求項１】
管体が円筒状の透光性内側管体と透光性外側管体の二重管構成であり、外面に端子部を突出した端部キャップが前記外側管体の両端部に結合され、照明側面に多数のＬＥＤ（発光ダイオード）を配置した長尺帯板状のＬＥＤ基板が前記内側管体内に収納支持され、前記内側管体は両端が前記端部キャップに回動可能に支持されて前記ＬＥＤ基板と共に回動可能であり、前記内側管体の回動によって前記照明側面の向きが変更可能であることを特徴とするＬＥＤ照明装置。
【請求項２】
管体が円筒状の透光性内側管体と透光性外側管体の二重管構成であり、外面に端子部を突出した端部キャップが前記外側管体の両端部に結合され、照明側面に多数のＬＥＤ（発光ダイオード）を配置した長尺帯板状のＬＥＤ基板が前記内側管体内に収納支持され、前記内側管体は両端が前記端部キャップに回動可能に支持されて前記ＬＥＤ基板と共に回動可能であり、前記外側管体を貫通した操作レバーによる前記内側管体の回動によって前記照明側面の向きが変更可能であることを特徴とするＬＥＤ照明装置。
【請求項３】
前記内側管体の内面に前記内側管体の長さ方向へ延びた対向する一対の支持溝を備え、前記ＬＥＤ基板は、前記ＬＥＤ基板の長さ方向の両端部が前記端部キャップに近接した状態で前記一対の支持溝に支持された長尺帯板状であることを特徴とする請求項１または２に記載のＬＥＤ照明装置。
【請求項４】
前記操作用レバーが前記外側管体の一端部に貫通形成された弧状スリット内に往復移動可能に嵌め合わされ、前記弧状スリットは前記内側管体の回動範囲を確定する長さに形成され、前記弧状スリットの端部には前記外側管体の端部に開放した導入スリットが連通形成されたことを特徴とする請求項２に記載のＬＥＤ照明装置。
【発明の詳細な説明】
【技術分野】
【０００１】
本発明は、多数のＬＥＤ（発光ダイオード）を配置した長尺帯板状の基板が管体内に収納されたＬＥＤ照明装置に関し、特に、照明方向を可変可能としたＬＥＤ照明装置に関する。
【背景技術】
【０００２】
透明または半透明の管体１内に、多数のＬＥＤを配置した長尺のＬＥＤ実装基板３と、ＬＥＤ実装基板３を取り付ける回路基板５が、管体１の長手に延在するように設けられ、管体１の両端には、管体１内部を閉塞するような状態で口金９が取り付けられ、口金９には、従来の直管形蛍光灯の取り付け用ソケット部に嵌合装着される端子部１０が取り付けられ、回路基板５と端子部１０は、リード線によって電気的に接続された、直管形ＬＥＤ照明装置がある（特許文献１参照）。
【先行技術文献】
【特許文献】
【０００３】
【特許文献１】特開２０１０−４４９２０号公報
【発明の概要】
【発明が解決しようとする課題】
【０００４】
特許文献１のように、長尺のＬＥＤ実装基板３の片面に多数のＬＥＤを配置した構成では、ＬＥＤの照射角度が略１２０度であり、これを例えば天井に取り付けた従来の直管形蛍光灯の取り付け用ソケット部に嵌合装着する場合、その照射範囲は、下方に向いた略１２０度の照射角度範囲となる。
このように直管形ＬＥＤ照明装置は、照射範囲が制限されるため、天井面に直管形ＬＥＤ照明装置を取り付けた場合において、通常状態では天井面からその真下の範囲を照射し、テレビ等の鑑賞時にはテレビ画面への照射量を減衰するように、照射方向を変更するようにすれば、その時の状況に応じた照明とすることができ、便利である。
【０００５】
また、ＬＥＤの照射角度が略１２０度であるため、直管形ＬＥＤ照明装置を取り付ける場所によっては、そのままでは照明範囲が狭くなり、所定の場所まで照明できないが、照射方向を変更すればその所定の場所まで照明できる状況がある。
【０００６】
また、ショーケースや商品陳列棚などにおける商品照明として、時間帯や季節や陳列商品の種類などによって、照明による商品の陳列効果をアップさせるために、直接照明状態としたり間接照明状態としたり、照明状態を変更可能とすれば、その効果アップに寄与する。
【０００７】
本発明は、このような点に鑑み、管体の両端に配置された端部キャップから電力が供給されるＬＥＤ照明装置において、管体を二重管構成とし、内側管体の回動によりＬＥＤの配列された照明側面の向きを変えて、所定の方向の照明を可能とすること、また、内側管体の回動操作のし易いＬＥＤ照明装置を提供できるものとする。
【０００８】
また、内側管体の回動操作は、外側管体を貫通した操作レバーによって行う構成にすると共に、この操作レバーを取り付けた状態で内側管体を外側管体内に挿入することができるようにして、組み立てのし易い構成を提供するものである。
【課題を解決するための手段】
【０００９】
第１発明は、管体が円筒状の透光性内側管体と透光性外側管体の二重管構成であり、外面に端子部を突出した端部キャップが前記外側管体の両端部に結合され、照明側面に多数のＬＥＤ（発光ダイオード）を配置した長尺帯板状のＬＥＤ基板が前記内側管体内に収納支持され、前記内側管体は両端が前記端部キャップに回動可能に支持されて前記ＬＥＤ基板と共に回動可能であり、前記内側管体の回動によって前記照明側面の向きが変更可能であることを特徴とする。
【００１０】
第２発明は、管体が円筒状の透光性内側管体と透光性外側管体の二重管構成であり、外面に端子部を突出した端部キャップが前記外側管体の両端部に結合され、照明側面に多数のＬＥＤ（発光ダイオード）を配置した長尺帯板状のＬＥＤ基板が前記内側管体内に収納支持され、前記内側管体は両端が前記端部キャップに回動可能に支持されて前記ＬＥＤ基板と共に回動可能であり、前記外側管体を貫通した操作レバーによる前記内側管体の回動によって前記照明側面の向きが変更可能であることを特徴とする。
【００１１】
第３発明は、第１発明または第２発明において、前記内側管体の内面に前記内側管体の長さ方向へ延びた対向する一対の支持溝を備え、前記ＬＥＤ基板は、前記ＬＥＤ基板の長さ方向の両端部が前記端部キャップに近接した状態で前記一対の支持溝に支持された長尺帯板状であることを特徴とする。
【００１２】
第４発明は、第２発明において、前記操作用レバーが前記外側管体の一端部に貫通形成された弧状スリット内に往復移動可能に嵌め合わされ、前記弧状スリットは前記内側管体の回動範囲を確定する長さに形成され、前記弧状スリットの端部には前記外側管体の端部に開放した導入スリットが連通形成されたことを特徴とする。
【発明の効果】
【００１３】
第１発明は、ＥＤ基板が収納された内側管体は端部キャップに回動可能に支持されているが、外側管体の両端部は端部キャップに結合されているため、内側管体を外側管体でカバーした状態で、内側管体の回動により照明側面の向きを変えて、所定の方向の照明を可能とすることができる。
【００１４】
第２発明は、ＥＤ基板が収納された内側管体は端部キャップに回動可能に支持されているが、外側管体の両端部は端部キャップに結合されているため、内側管体を外側管体でカバーした状態で、操作レバーの操作によって内側管体を回動させて照明側面の向きを変えることによって、所定の方向の照明を可能とすることができる。
【００１５】
第３発明は、第１発明及び第２発明の効果に加えて、ＬＥＤ基板の長さ方向の両端部が端部キャップに近接した状態であるため、ＬＥＤをＬＥＤ基板の長さ方向の両端部近くまで配列でき、両端部の端部キャップ間が発光面となり、直感形照明装置として好ましい状態となると共に、内側管体の回動が両端部の端部キャップによって阻害されることなく行えるものとなる。
【００１６】
第４発明は、第２発明の効果に加えて、弧状スリットによって内側管体の回動範囲が定まるため、回動操作を容易に行える。また、導入スリットの存在によって、操作レバーを取り付けた状態で内側管体を外側管体内に挿入することができるようになり、組み立てのし易い構成となる。更に、導入スリットが弧状スリットの端部に連通形成されるため、弧状スリット内で操作レバーを往復させても、導入スリットが邪魔になることがなく、回動操作をスムースに行えるものとなる。
【図面の簡単な説明】
【００１７】
【図１】本発明に係るＬＥＤ照明装置の外観図である。
【図２】本発明に係るＬＥＤ照明装置の管体内に収納した基板の状態説明図である。
【図３】図２のＹ方向から見た管体内に収納したＬＥＤ基板の状態説明図である。
【図４】本発明に係るＬＥＤ照明装置の端部キャップと管体内に収納した基板との関係を示す斜視図である。
【図５】本発明に係るＬＥＤ照明装置の端部キャップのリード線の配置状態とＬＥＤ基板の支持部の関係を示す斜視図である。
【図６】本発明に係るＬＥＤ照明装置の端部キャップと管体との関係図である。
【図７】本発明に係るＬＥＤ照明装置の端部キャップ内のリード線の配置状態とＬＥＤ基板の支持部の関係を示す図である。
【図８】図７のＡ−Ａ断面図である。
【図９】本発明に係るＬＥＤ照明装置の端部キャップ、ＬＥＤ基板及び管体の関係を示す分解斜視図である。
【図１０】本発明に係るＬＥＤ照明装置をグロー管点灯方式の直管形蛍光灯照明装置に置換する場合の結線図である。
【図１１】本発明に係るＬＥＤ照明装置をラピッドスタート点灯方式の直管形蛍光灯照明装置に置換する場合の結線図である。
【図１２】本発明に係るＬＥＤ照明装置を専用ソケットに取り付ける場合の結線図である。
【図１３】本発明に係るＬＥＤ照明装置の操作レバー側の端部外観図である。
【図１４】本発明に係るＬＥＤ照明装置の端部キャップと内側管体の関係を示す分解斜視図である。
【図１５】本発明に係るＬＥＤ照明装置の端部キャップと内側管体の組み合わせ状態を示す斜視図である。
【図１６】本発明に係るＬＥＤ照明装置のＬＥＤ基板の照明側面が第１方向（真下方向）である説明用断面図である。
【図１７】本発明に係るＬＥＤ照明装置のＬＥＤ基板の照明側面が第２方向（傾斜方向）である説明用断面図である。
【発明を実施するための形態】
【００１８】
本発明は、管体が円筒状の透光性内側管体と透光性外側管体の二重管構成であり、照明側面に多数のＬＥＤ（発光ダイオード）を配置した長尺帯板状のＬＥＤ基板が前記内側管体内に収納され、外面に端子部を突出した端部キャップが前記外側管体の両端部に結合され、前記内側管体の両端が前記端部キャップに回動可能に支持され、電動機や前記外側管体を貫通した操作レバーによる前記内側管体の回動によって、前記照明側面の向きが変更可能としたものであり、以下に本発明の実施例を記載する。
【実施例１】
【００１９】
本発明に係るＬＥＤ照明装置１は、従来使用されている直管形蛍光灯照明装置の直管形蛍光灯に代わって、そのソケット（図１０〜図１１に点線で示す）に取り付けられるようにすることを一つの目的とするものであるが、これに限定されず、本発明に係るＬＥＤ照明装置１を取り付ける専用のソケット１２（図１２に点線で示す）を備える照明器具にも適用可能な照明装置となるものである。
【００２０】
以下に本発明に係るＬＥＤ照明装置１を図に基づき説明する。ＬＥＤ照明装置１は、多数のＬＥＤ（発光ダイオード）２を配置した長尺のＬＥＤ基板３が、管体４内の長手方向（管体４の長軸方向）に延在するよう収納されている。管体４は内側管体４１と外側管体４２による二重管体を構成しており、内側管体４１と外側管体４２が略同軸配置になるように、管体４の両端部に配置した端部キャップ６に支持されている。そして、内側管体４１の長手方向（内側管体４１の長軸方向）に延在するように、ＬＥＤ基板３が内側管体４１内に収納されている。
【００２１】
端部キャップ６は、従来使用されている直管形蛍光灯照明装置等のソケット部１２（図１０〜図１２に点線で示す）に嵌合装着される端子部５を備え、外側管体４２の両端に接着等の手段によって結合されている。また、内側管体４１は、後述のように端部キャップ６に回動可能に支持されている。端部キャップ６がソケット部１２に嵌合装着された状態で、端子部５に半田付けされたリード線７を介してＬＥＤ２へ所定の電力が供給され、ＬＥＤ２が発光するものである。
【００２２】
内側管体４１内には、ＬＥＤ基板３の他にＬＥＤ駆動用回路基板８が収納され、適宜の支持構造でもって支持されている。ＬＥＤ基板３は平板状の合成樹脂製であり、その片側面が照明側面３Ｐとなるように多数のＬＥＤ２が配置されており、照明側面３Ｐの反対側となる他方側面（裏面）には、ＬＥＤ２へ電力供給する電気回路素子を取り付けたＬＥＤ駆動用回路基板８が、ＬＥＤ基板３と並行状態にＬＥＤ基板３に取り付けられている。実施例では図１乃至図３に示すように、ＬＥＤ照明装置１は、部屋の天井部分等に取り付けられて下方を照明する状態を示しており、ＬＥＤ基板３の下側面が照明側面３Ｐとなるように配置された構成である。内側管体４１内の反射光が照明方向へ反射するようにするために、照明側面３Ｐには白色塗装を施している。
【００２３】
ＬＥＤ基板３の照明側面３Ｐには、一列に電気的に直列接続された多数のＬＥＤ２が直線状に配列される状態でもって、全部で３０６個のＬＥＤ２が３列に所定間隔でもって配置されている。実施例で示すＬＥＤ照明装置１は長さＬが略１２００ｍｍであり、この長さに対応する長さのＬＥＤ基板３を１枚の基板で形成することは、コスト的にもアップするため、実施例では３枚の単位基板Ａ、Ｂ、Ｃが直列接続されてＬＥＤ基板３を構成している。このため、単位基板Ａ、Ｂ、Ｃにはそれぞれ１列３４個のＬＥＤ２が３列に所定間隔でもって配置された状態であり、単位基板Ａ、Ｂ、Ｃの各列のＬＥＤ２は、電気的に直列接続されて、全体として３０６個のＬＥＤ２が３列構成である。
【００２４】
内側管体４１は、ＬＥＤ２の発光が透過するために、少なくとも一部分が透明または半透明（着色または乳白色を含む）をなす透光性の合成樹脂（ポリカーボネート、アクリル等）製であり、押し出し成形または引き抜き成形によって円筒状またはそれに近い筒状に成形されている。平坦な照明側面３Ｐに取り付けたＬＥＤ２の発光による照射角度は、略１２０度であるため、平坦な照明側面３Ｐに取り付けた３列の両端の各列のＬＥＤ２の光の照射角度、及び内側管体４１での反射光を考慮すれば、内側管体４１は、略照明側面３Ｐに対応する下方領域（図１及び図９に一点鎖線で示す線ＰＬの下方領域４Ｄであり、内側管体４１の略下半分の領域）が透光性をなす構成とし、その上方領域４Ｕは不透明としている。これによって、ＬＥＤ２の発光による照明が下方領域４Ｄから得られ、また、ＬＥＤ基板３よりも上方にあるＬＥＤ駆動用回路基板８、及びそれに取り付けられた電気回路素子が外部から透視できない状態となり、外観上好ましい形態となる。内側管体４１の成形と同時にこのような透明、不透明に成形すればよいが、例えば、内側管体４１の上方領域に内側管体４１の長さ方向の多数の細かい筋を形成する方法によって不透明領域としてもよい。なお、上方領域４Ｕと下方領域４Ｄがそれぞれ半円筒状に別個に形成されたものが組み合わされて円筒状をなすものであってもよい。
【００２５】
本発明では、管体４は二重管体を構成しており、内側管体４１と外側管体４２が略同軸配置になるように、端部キャップ６が管体４の両端に配置されている。外側管体４２は、ＬＥＤ２の発光が透過するために、透光性の合成樹脂材（ポリカーボネート、アクリル等）でもって、内側管体４１と外側管体４２が略同軸配置になるように、円筒形状に成形されている。
【００２６】
端部キャップ６は、円筒状の内側管体４１と外側管体４２に合わせるために、電気絶縁材である合成樹脂材でもって円筒状に形成されている。端子部５は、電気絶縁材の端子支持部材１４に取り付けられた状態で、端子側コネクタ１１Ｂを備えたリード線７の一端と半田付けにて接続される。端部キャップ６への端子支持部材１４の取り付けは、端子支持部材１４と一体に組み合わせたカップ状の金属製外観部材１４Ａが、端部キャップ６の外側端の環状取り付け部６Ａの外面に接着にて行なわれる。
【００２７】
端部キャップ６の端子部５は、それぞれ２本のピンを備えたものであるが、これは従来使用されている直管形蛍光灯照明装置のソケット部１２（図１０〜図１２に点線で示す）に嵌合装着されるための構成となっているためである。このため、直管形蛍光灯に替えてＬＥＤ照明装置１を直管形蛍光灯照明装置のソケット部１２に嵌合装着する場合において、直管形蛍光灯の点灯がグロー管方式であった場合は、図１０に示すように、グロー管を取り外すと共に、安定器への配線は×印で示すように切り離した状態でもって、新たなバイパス結線１３を結線する。この状態で、ＬＥＤ照明装置１をソケット部１２に嵌合装着すれば、商用交流電力ＡＣがこのバイパス結線１３を通して、管体４の一方側（図１０の左方側）の端子部５の２本のピンのうちのいずれか一方と、管体４の他方側（図１０の右方側）の端子部５の２本のピンのうちのいずれか一方とに供給されるものとなる。
【００２８】
また、直管形蛍光灯の点灯がグロー管方式でないラピッドスタート方式の場合は、図１１に示すように、安定器への配線は×印で示すように切り離した状態でもって、新たなバイパス結線１３を結線する。この状態で、ＬＥＤ照明装置１をソケット部１２に嵌合装着すれば、商用交流電力ＡＣがこのバイパス結線１３を通して、管体４の一方側（図１１の左方側）の端子部５の２本のピンのうちのいずれか一方と、管体４の他方側（図１１の右方側）の端子部５の２本のピンのうちのいずれか一方に供給されるものとなる。
【００２９】
図１２には、ＬＥＤ照明装置１の専用ソケット方式を示している。この場合は、ＬＥＤ照明装置１を専用ソケット部１２に嵌合装着すれば、商用交流電力ＡＣが専用ソケット部１２から、管体４の一方側（図１２の左方側）の端子部５の２本のピンのうちのいずれか一方と、管体４の他方側（図１２の右方側）の端子部５の２本のピンのうちのいずれか一方とに供給される配線である。
【００３０】
このようにしてＬＥＤ照明装置１の両端の端子部５へ供給される商用交流電力ＡＣによって、ＬＥＤ２が発光するようにするために、ＬＥＤ２へ電力供給する電気回路素子Ｓを取り付けたＬＥＤ駆動用回路基板８が設けられている。ＬＥＤ駆動用回路基板８には、左右の端子部５にそれぞれリード線７側の端子側コネクタ１１Ｂと接続される基板側コネクタ１１Ａが配置されている。これらの基板側コネクタ１１Ａと端子側コネクタ１１Ｂが接続された状態で、左右の端子部５からリード線７を介して商用交流電力ＡＣが、ＬＥＤ駆動用回路基板８の電気回路素子Ｓに供給される。この電気回路素子Ｓとして、ＬＥＤ駆動用回路基板８には、この左右の端子部５からリード線７を介して供給される商用交流電力ＡＣを整流して所定の直流ＤＣとするための整流回路を含むＡＣ／ＤＣ変換回路部９と、ＡＣ／ＤＣ変換回路部９から供給される直流ＤＣを所定電圧としてＬＥＤ２に供給する電圧制御部１０を備えている。
【００３１】
ＬＥＤ基板３を円筒状の内側管体４１内に支持するために、円筒状の内側管体４１の内面には、内側管体４１の長さ方向（内側管体４１の軸方向）へ延びた対向する一対の支持溝４Ａが、内側管体４１の形成と同時に形成されている。一対の支持溝４Ａは、図７及び図８に示すように、それぞれ内側管体４１の長さ方向（内側管体４１の軸方向）へ延びた対向する一対のリブ４Ｂ、４Ｂ間に形成されており、一対のリブ４Ｂ、４Ｂの間隔は、ＬＥＤ基板３の厚さよりも若干大きい寸法の間隔を存して、内側管体４１の形成と同時に、内側管体４１の全長に亘って形成されている。一対の支持溝４Ａに支持されたＬＥＤ基板３は、図７及び図８に示すように、内側管体４１の上下の中央部よりも若干下方に位置する。これは、上記のように照明側面３Ｐに取り付けたＬＥＤ２の照射角度は、略１２０度であること、及び電気回路素子Ｓを取り付けたＬＥＤ駆動用回路基板８がＬＥＤ基板３の裏側に配置されている状態での内側管体４１内への収納を考慮したためである。
【００３２】
図４に示すように、電気回路素子Ｓを取り付けたＬＥＤ駆動用回路基板８の幅Ｔ１は、ＬＥＤ基板３の幅Ｔ２よりも十分小さく設定され、ＬＥＤ駆動用回路基板８の幅Ｔ１の両側に、ＬＥＤ基板３の長尺方向に並行に延びた長尺端縁３Ａが存在する配置でもって、ＬＥＤ駆動用回路基板８をＬＥＤ基板３の裏側に取り付けている。このような構成において、図９に示すように、内側管体４１の一端開口から、ＬＥＤ基板３の長尺端部３Ａを内側管体４１内の一対の支持溝４Ａにスライドにて挿入し、ＬＥＤ基板３を内側管体４１内に収納する。また内側管体４１よりも長尺の外側管体４２内には、内側管体４１が挿入される。このような状態において、内側管体４１及び外側管体４２の左右の開口端部に端部キャップ６が取り付けられる。
【００３３】
この取り付けを達成するために、端部キャップ６には、円筒形状の内側管体４１が回動可能に支持される円筒形状の環状取り付け部６Ｂ１と、円筒形状の外側管体４２が接着により結合されるように環状取り付け部６Ｂ１よりも大径の円筒形状の環状取り付け部６Ｂ２が形成されている。環状取り付け部６Ｂ２の基部には環状のストッパフランジ６Ｃが形成されている。また、内側管体４１が環状取り付け部６Ｂ１に嵌め合わされた状態で、内側管体４１が回動可能であるために、一対のリブ４Ｂ、４Ｂが、内側管体４１の左右両端部から環状取り付け部６Ｂ１の長さよりも若干長い範囲で切除されている。すなわち、内側管体４１が環状取り付け部６Ｂ１に嵌め合わされた状態で、図８に示すように、一対のリブ４Ｂ、４Ｂが環状取り付け部６Ｂ１の端縁６Ｂ１１に接触しないように、一対のリブ４Ｂ、４Ｂの左右両端部が切除されている。
【００３４】
内側管体４１内の所定位置にＬＥＤ基板３が収まり位置決めされるようにするために、その一つの手段として、内側管体４１内の一対の支持溝４Ａに挿入支持されたＬＥＤ基板３は、内側管体４１内の所定位置において、支持溝４Ａ部分で接着する。また、他の位置決め手段として、図８に示すように、ＬＥＤ基板３の内側管体４１方向の長さ（図２の左右方向の長さ）を一対のリブ４Ｂ、４Ｂの長さよりも若干短く形成し、支持溝４Ａの両端部（図２及び図８において左右端部）に圧入または接着したストッパ部材２１によって、内側管体４１内の所定位置にＬＥＤ基板３を位置決めする。これによって、ＬＥＤ基板３は、ＬＥＤ基板３の長さ方向の両端部３Ｂが端部キャップ６に近接した状態（端部キャップ６から若干離れた状態）で、一対の支持溝４Ａに支持された長尺帯板状である。
【００３５】
なお、内側管体４１の回動角度範囲（実施例では３０度）と同等または若干大きい範囲の切り欠きを環状取り付け部６Ｂ１に形成して、この切り欠きに一対のリブ４Ｂ、４Ｂが入り込むようにすれば、上記のように一対のリブ４Ｂ、４Ｂの左右両端部を切除することもなく、内側管体４１を所定角度範囲で回動させることができる。この場合、ＬＥＤ基板３の長さを内側管体４１の長さよりも若干短く形成し、ＬＥＤ基板３が内側管体４１の長さ方向に移動したとき、ＬＥＤ基板３の長さ方向の両端部３Ｂがこの切り欠きの底部に当接することにより、ＬＥＤ基板３の長さ方向の位置決めができるものとなる。このため、この切り欠きの底部が基板ストッパ部となる。
【００３６】
このようにＬＥＤ基板３が内側管体４１内の所定位置に収納支持され、外側管体４２内に内側管体４１が挿入された状態で、内側管体４１及び外側管体４２の左右（図２及び図８において左右）の開口端部へ端部キャップ６を取り付ける際に、先ず基板側コネクタ１１Ａと端子側コネクタ１１Ｂとを結合させ、この状態で、内側管体４１の左右（図２及び図８において左右）の開口端部のうちの一方側に、一方側の端部キャップ６の環状取り付け部６Ｂ１を嵌め合わせる。この嵌め合わせに伴って、内側管体４１の開口端部が環状取り付け部６Ｂ１の基部の段部に当接する状態まで、内側管体４１を内側端の環状取り付け部６Ｂ１の外面に挿入する。また、外側管体４２の左右の開口端部のうちの一方側を、この一方側の端部キャップ６の環状取り付け部６Ｂ２に嵌め合わせ、少なくともそのいずれか一方に塗布した接着剤によって結合され、環状取り付け部６Ｂ２と外側管体４２とが結合され一体化される。この状態で、内側管体４１と外側管体４２は、その円筒形の全周で所定の間隔を存した状態である。
【００３７】
このようにして、内側管体４１と外側管体４２の左右の開口端部のうちの一方側に一方側の端部キャップ６が嵌め合わされるが、これと同様にして、内側管体４１と外側管体４２の他方側の開口端部に、他方側の端部キャップ６が嵌め合わされ、ＬＥＤ照明装置１が組み立てられる。この組み立てによって、外側管体４２は、両端に取り付けた端部キャップ６の環状取り付け部６Ｂ２に対して接着結合されて一体化されるが、内側管体４１は両端に取り付けた端部キャップ６の環状取り付け部６Ｂ１に対して回動可能状態であり、内側管体４１の回動に伴ってＬＥＤ基板３も回動可能する。
【００３８】
このように組み立てられたＬＥＤ照明装置１は、ＬＥＤ照明装置１の両端側の端子部５を専用ソケット部１２に嵌合装着すれば、照明側面３Ｐを所定の照明方向に向いた（例えば、図２及び図１６に太い矢印Ｒで示すように下方向に向いた）状態に取り付けた状態になる。そして、この状態において、内側管体４１は、端部キャップ６の環状取り付け部６Ｂ１に支持された状態で回動可能である。内側管体４１を回動させるために、内側管体４１の一端部に取り付けた操作用レバー１８が、外側管体４２の一端部に貫通形成された弧状スリット１９内を往復移動可能に嵌め合わされている。操作用レバー１８は、環状取り付け部１８Ａが内側管体４１の外面に接着にて固定され、弧状スリット１９から外側管体４２の外側に突出している。この弧状スリット１９は、外側管体４２の側面部に形成すれば、操作用レバー１８の操作もし易く、また目立たない状態とすることができる。
【００３９】
弧状スリット１９は、内側管体４１の回動範囲を確定する長さＬＰに形成されており、操作用レバー１８が弧状スリット１９の一端１９Ａに当接した状態が第１方向状態であり、この状態は、例えば図２及び図１６に太い矢印Ｒで示すように、照明側面３Ｐが第１方向である真下方向に向いた状態である。また、操作用レバー１８が弧状スリット１９の他端１９Ｂに当接した状態が第２方向状態であり、この状態は、例えば図１７に太い矢印Ｒで示すように、照明側面３Ｐが真下方向から所定角度（実施例では３０度）傾斜した状態である。このように操作用レバー１８の操作によって、照明方向を容易に所定角度の範囲で変更できることとなる。
【００４０】
また、弧状スリット１９の一端部には外側管体４２の端部に開放した導入スリット２０が連通形成されている。これによって、内側管体４１の外面に操作用レバー１８を取り付けた状態で、上記のように外側管体４２内に内側管体４１を挿入する際に、操作用レバー１８を導入スリット２０に嵌め合わせて進入させつつ、弧状スリット１９に到達させることによって、外側管体４２内に内側管体４１が挿入され、この状態で、導入スリット２０側の外側管体４２と内側管体４１の開口端部に端部キャップ６を嵌め合わせる。これと同様にして、内側管体４１と外側管体４２の他方側の開口端部に、他方側の端部キャップ６を嵌め合わせることにより、ＬＥＤ照明装置１が組み立てられる。このため、組み立てのし易い構成であるとともに、導入スリット２０が弧状スリット１９の端部に連通形成されるため、弧状スリット１９内で操作レバー１８を往復させても、導入スリット２０が邪魔にならず、操作レバー１８の回動操作をスムースに行えるものとなる。
【００４１】
内側管体４１の回動は、上記のように手動式でもよいが、ＬＥＤ照明装置１が部屋の天井に取り付けられる場合等では、その回動操作がし難いので、電動式とすることもできる。この電動式の場合は、端部キャップ６の外面部分に電動機を取り付け、この電動機の回転軸の回転を減速歯車機構によって操作用レバー１８を低速で往復移動させるようにすればよい。この場合、リモートコントローラによってこの電動機の運転を制御する方式とすれば便利である。この電動機の回転によって、内側管体４１が一方向へ所定角度（例えば３０度）回動し、次に逆方向へ所定角度（例えば３０度）回動する方式とする。
【００４２】
上記のように、端部キャップ６からＬＥＤ基板３への電力供給用のリード線７は、一端が端部キャップの端子部に半田付けにて接続され、他端に接続したコネクタ１１ＢをＬＥＤ基板３側のコネクタ１１Ａと結合した状態で、リード線７は内側管体４１の回動によって生じる捩れを許容する長さを有するが、この捩れによる作用力が端子部５との半田付け部に掛かった場合、この半田付け箇所が剥がれたり、接触不良状態になったり等、電気的接続不良が生じる。また、上記のように、内側管体４１、外側管体４２及び端部キャップ６とは結合されるが、この組立作業において、リード線７が引っ張られたり、撓んだり、捩じれたりした場合、その作用力がリード線７と端子部５との半田付け箇所に直接掛かれば、この半田付け箇所が剥がれたり、接触不良状態になったり等、電気的接続不良が生じる。また、端子側コネクタ１１Ｂを取り付けたリード線７が端子部５に半田付けされた状態で、上記のような組立作業の準備中や運搬中に、引っ張りや捩じれ等による作用力が半田付け箇所に掛かった場合も、同様に電気的接続不良が生じる虞がある。このような事態にならないようにする技術について、以下にその具体的な構成について記載する。
【００４３】
図５、図７、図８等に示すように、端部キャップ６の内側には、環状取り付け部６Ｂで囲まれた内方領域に、環状取り付け部６Ｂから突出しない範囲で、リード線７の途中を屈曲係止する係止部１５を備え、この屈曲係止によってリード線７と端子部５との半田付け箇所へ掛かるリード線７の引っ張りや撓み等の作用力を吸収するようにしている。
【００４４】
係止部１５は、向かい合った一対の第１係止部１５Ａ、１５Ａと、第２係止部１５Ｂ、１５Ｂによって構成している。第１係止部１５Ａ、１５Ａは、端部キャップ６内の内外隔壁１６に形成した孔１６Ａに端部に形成され、この孔１６Ａに臨むように第２係止部１５Ｂ、１５Ｂが形成されている。このため、端子部５から延びた２本のリード線７は、それぞれ孔１６Ａの近傍で内外隔壁１６を貫通して第２係止部１５Ｂ、１５Ｂに係止するように屈曲した後、端子側コネクタ１１Ｂへ延びる。この状態で、図８に示すように、２本のリード線７はそれぞれ第１係止部１５Ａ、１５Ａに係止すると共に孔１６Ａに一部が侵入する状態で、第２係止部１５Ｂ、１５Ｂに係止した状態となる。第１係止部１５Ａ、１５Ａと、第２係止部１５Ｂ、１５Ｂへのリード線７の係止は、第２係止部１５Ｂ、１５Ｂ間からリード線７を屈曲させつつ挿入係止することによって達成できる。
【００４５】
第１係止部１５Ａ、１５Ａと、第２係止部１５Ｂ、１５Ｂへのリード線７の係止は、第２係止部１５Ｂ、１５Ｂ間からリード線７を屈曲させつつ、図５に矢印Ｑで示す方向へ挿入係止することによって達成できる。
【００４６】
これによって、端子側コネクタ１１Ｂ側へリード線７が引っ張られても、主として第２係止部１５Ｂに係止するため、この引っ張り作用力がこの部分で吸収されて、端子部５との半田付け箇所へ掛かることがないか抑制される。
【００４７】
また、端子側コネクタ１１Ｂ側から端子部５方向へリード線７が撓んでも、主として第２係止部１５Ｂに押し圧係止するため、この撓み作用力がこの部分で吸収されて、端子部５との半田付け箇所へ掛かることがないか抑制される。また、リード線７が捩じれた場合には、第１係止部１５Ａ、１５Ａ及び第２係止部１５Ｂ、１５Ｂのいずれかまたは双方によって、この捩じれ作用力がこの部分で吸収されて、端子部５との半田付け箇所へ掛かることがないか抑制される。
【００４８】
図８に示すように、第１係止部１５Ａ、１５Ａと、第２係止部１５Ｂ、１５Ｂへリード線７を係止した状態で、２本のリード線の途中がＳ字状屈曲となる状態で係止されることにより、リード線７の引っ張り、撓み、捩じれによる作用力の吸収は、更に良好な効果を得ることができる。
【００４９】
また、上記のようなリード線７の引っ張り、撓み、捩じれによる作用力の吸収は、内外隔壁１６に形成した孔１６Ａが存在しない構成でも差し支えないが、この孔１６Ａの存在によって、更に良好な効果を得ることができる。また、この孔１６Ａに相当する部分で隔壁１６が端子部５側へ窪んでいても、この係止部１５に部分で２本のリード線の途中がＳ字状屈曲となる状態で係止されることとなり、同様の効果を得ることができる。
【産業上の利用可能性】
【００５０】
本発明に係るＬＥＤ照明装置は、上記実施例に示した構成に限らず、その他の形態にも本発明の技術が適用できるものであり、本発明の技術範囲において種々の形態のＬＥＤ照明装置を包含するものである。
【符号の説明】
【００５１】
１・・・・・ＬＥＤ照明装置
２・・・・・ＬＥＤ
３・・・・・ＬＥＤ基板
３Ａ・・・・照明側面
３Ｂ・・・・ＬＥＤ基板３の長手方向端部
３Ｐ・・・・照明側面
４・・・・・管体
４１・・・・内側管体
４２・・・・外側管体
４Ａ・・・・溝
４Ｂ・・・・リブ
５・・・・・端子部
６・・・・・端部キャップ
６Ｂ１・・・・環状取り付け部
６Ｂ２・・・・環状取り付け部
７・・・・・リード線
８・・・・・ＬＥＤ駆動用回路基板
９・・・・・ＡＣ／ＤＣ変換回路部
１０・・・・電圧制御部
１１Ａ・・・基板側コネクタ
１１Ｂ・・・端子側コネクタ
１２・・・・ソケット
１３・・・・バイパス線
１５・・・・係止部
１５Ａ・・・第１係止部
１５Ｂ・・・第２係止部
１６・・・・隔壁
１６Ａ・・・孔
１８・・・・操作レバー
１９・・・・弧状スリット
２０・・・・導入スリット
【図１】
2012014842.tif 000003
【図２】
2012014842.tif 000004
【図３】
2012014842.tif 000005
【図４】
2012014842.tif 000006
【図５】
2012014842.tif 000007
【図６】
2012014842.tif 000008
【図７】
2012014842.tif 000009
【図８】
2012014842.tif 000010
【図９】
2012014842.tif 000011
【図１０】
2012014842.tif 000012
【図１１】
2012014842.tif 000013
【図１２】
2012014842.tif 000014
【図１３】
2012014842.tif 000015
【図１４】
2012014842.tif 000016
【図１５】
2012014842.tif 000017
【図１６】
2012014842.tif 000018
【図１７】
2012014842.tif 000019